(57)【要約】【課題】複数のノード間で公平なチャネルアクセスを実現することが可能な仕組みを提案する。【解決手段】チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、を備える基地局。【選択図】図１
2020072428.tif 000002
【特許請求の範囲】
【請求項１】
チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、
を備える基地局。
【請求項２】
前記設定情報は、前記第２の方式を使用すべきか否かを示す情報を含む、請求項１に記載の基地局。
【請求項３】
前記設定情報は、前記基地局と他のノードとの間で同期が確立しているか否かを示す情報を含む、請求項１に記載の基地局。
【請求項４】
前記設定情報は、位置と前記位置に前記端末装置が位置する場合に使用すべきチャネルアクセス方式とを対応付けた情報を含む、請求項１に記載の基地局。
【請求項５】
前記設定情報は、周波数帯域と前記周波数帯域を前記端末装置が使用する場合に使用すべきチャネルアクセス方式とを対応付けた情報を含む、請求項１に記載の基地局。
【請求項６】
前記設定情報は、時間と前記時間に前記端末装置が使用すべきチャネルアクセス方式とを対応付けた情報を含む、請求項１に記載の基地局。
【請求項７】
前記設定情報は、前記第２の方式におけるフレーム構成を示す情報を含む、請求項１に記載の基地局。
【請求項８】
前記制御部は、前記基地局の位置に基づいて、前記端末装置との通信のために使用するチャネルアクセス方式を設定する、請求項１に記載の基地局。
【請求項９】
前記制御部は、前記第１の方式を使用する他のノードの検出結果に基づいて、前記端末装置との通信のために使用するチャネルアクセス方式を設定する、請求項１に記載の基地局。
【請求項１０】
前記第１の方式を使用する前記他のノードは、前記他のノードから送信された信号に基づいて検出される、請求項９に記載の基地局。
【請求項１１】
前記第１の方式を使用する前記他のノードは、前記他のノードに関するセンサ情報に基づいて検出される、請求項９に記載の基地局。
【請求項１２】
前記制御部は、前記第２の方式におけるフレーム構成を、前記第１の方式を使用する他のノードの検出結果に応じて設定する、請求項１に記載の基地局。
【請求項１３】
前記制御部は、他のノードから送信されたパケットの優先度に基づいて、前記端末装置との通信のために使用するチャネルアクセス方式を設定する、請求項１に記載の基地局。
【請求項１４】
前記制御部は、前記端末装置との通信のために使用するチャネルアクセス方式を所定周期で切り替える、請求項１に記載の基地局。
【請求項１５】
前記第１の方式は、ＬＢＥ（Load-based  equipment）であり、
前記第２の方式は、ＦＢＥ（Frame-based  equipment）である、請求項１に記載の基地局。
【請求項１６】
チャネルアクセス方式として、任意のタイミングでキャリアセンスを行う第１の方式、及び所定のタイミングでキャリアセンスを行う第２の方式を使用可能な端末装置であって、
基地局から通知された、使用すべきチャネルアクセス方式及びキャリアセンスの設定情報に基づいて、使用するチャネルアクセス方式を設定し、キャリアセンスの設定を行う制御部、
を備える端末装置。
【請求項１７】
チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知すること、
を含む、プロセッサにより実行される方法。
【請求項１８】
チャネルアクセス方式として、任意のタイミングでキャリアセンスを行う第１の方式、及び所定のタイミングでキャリアセンスを行う第２の方式を使用可能な端末装置により実行される方法であって、
基地局から通知された、使用すべきチャネルアクセス方式及びキャリアセンスの設定情報に基づいて、使用するチャネルアクセス方式を設定し、キャリアセンスの設定を行うこと、
を含む方法。
【請求項１９】
コンピュータを、
チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、
として機能させるためのプログラムが記録された記録媒体。
【請求項２０】
チャネルアクセス方式として、任意のタイミングでキャリアセンスを行う第１の方式、及び所定のタイミングでキャリアセンスを行う第２の方式を使用可能な端末装置を制御するコンピュータを、
基地局から通知された、使用すべきチャネルアクセス方式及びキャリアセンスの設定情報に基づいて、使用するチャネルアクセス方式を設定し、キャリアセンスの設定を行う制御部、
として機能させるためのプログラムが記録された記録媒体。
【発明の詳細な説明】
【技術分野】
【０００１】
本開示は、基地局、端末装置、方法及び記録媒体に関する。
【背景技術】
【０００２】
セルラー移動通信の無線アクセス方式及び無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「５Ｇ」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project：  3GPP）において検討されている。なお、以下の説明において、ＬＴＥは、LTE-A、LTE-A  Pro、及びEUTRAを含み、ＮＲは、ＮＲＡＴ、及びＦＥＵＴＲＡを含む。ＬＴＥでは基地局装置（基地局）はｅＮｏｄｅＢ（evolved  NodeB）、ＮＲでは基地局装置（基地局）はｇＮｏｄｅＢ、ＬＴＥ及びＮＲでは端末装置（移動局、移動局装置、端末）はＵＥ（User  Equipment）とも称する。ＬＴＥ及びＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）及びＵＲＬＬＣ（Ultra  reliable  and  low  latency  communications）を含む様々なユースケースに対応できるアクセス技術である。ＮＲは、それらのユースケースにおける利用シナリオ、要求条件、及び配置シナリオなどに対応する技術フレームワークを目指して検討される。
【０００４】
アンライセンスバンド（unlicensed  band、免許不要帯域）及びライセンス共有帯域（license  shared  band）において、セルラー通信を基とした無線アクセス方式の運用が検討されている。そのような免許不要帯域において他のノードや無線システムとの共存が重要とされており、ＬＴＥ及びＮＲなどの無線アクセス方式に対して、送信する前にチャネルのセンシングを行うＬＢＴ（Listen  Before  Talk）や断続的送信（discontinuous  transmission）などの機能が要求されている。アンライセンスバンドにおけるＮＲを基にした無線アクセス方式の詳細は、非特許文献１に開示されている。なお、アンライセンスバンドは、例えば、２．４ＧＨｚ帯、５ＧＨｚ帯、及び６ＧＨｚ帯である。ライセンス共有バンドは、例えば、３．５ＧＨｚ帯や３７ＧＨｚ帯である。
【先行技術文献】
【非特許文献】
【０００５】
【非特許文献１】RP-172021,  “Study  on  NR-based  Access  to  Unlicensed  Spectrum,”  3GPP  TSG  RAN  Meeting  #77,  Sapporo,  Japan,  September  11  -  14,  2017.
【発明の概要】
【発明が解決しようとする課題】
【０００６】
アンライセンスバンドにおいては、共存する種々のノード間で公平なチャネルアクセスを保つことが困難な場合がある。一例として、キャリアセンスに関する設定が異なるノード間では、公平なチャネルアクセスを保つことが困難な場合がある。
【０００７】
そこで、本開示では、複数のノード間で公平なチャネルアクセスを実現することが可能な仕組みを提案する。
【課題を解決するための手段】
【０００８】
本開示によれば、チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、を備える基地局が提供される。
【０００９】
また、本開示によれば、チャネルアクセス方式として、任意のタイミングでキャリアセンスを行う第１の方式、及び所定のタイミングでキャリアセンスを行う第２の方式を使用可能な端末装置であって、基地局から通知された、使用すべきチャネルアクセス方式及びキャリアセンスの設定情報に基づいて、使用するチャネルアクセス方式を設定し、キャリアセンスの設定を行う制御部、を備える端末装置が提供される。
【００１０】
また、本開示によれば、チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知すること、を含む、プロセッサにより実行される方法が提供される。
【００１１】
また、本開示によれば、チャネルアクセス方式として、任意のタイミングでキャリアセンスを行う第１の方式、及び所定のタイミングでキャリアセンスを行う第２の方式を使用可能な端末装置により実行される方法であって、基地局から通知された、使用すべきチャネルアクセス方式及びキャリアセンスの設定情報に基づいて、使用するチャネルアクセス方式を設定し、キャリアセンスの設定を行うこと、
を含む方法が提供される。
【００１２】
また、本開示によれば、コンピュータを、チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、として機能させるためのプログラムが記録された記録媒体が提供される。
【００１３】
また、本開示によれば、チャネルアクセス方式として、任意のタイミングでキャリアセンスを行う第１の方式、及び所定のタイミングでキャリアセンスを行う第２の方式を使用可能な端末装置を制御するコンピュータを、基地局から通知された、使用すべきチャネルアクセス方式及びキャリアセンスの設定情報に基づいて、使用するチャネルアクセス方式を設定し、キャリアセンスの設定を行う制御部、として機能させるためのプログラムが記録された記録媒体が提供される。
【図面の簡単な説明】
【００１４】
【図１】本開示の一実施形態に係る通信システムの全体構成を示す図である。
【図２】ＦＢＥの概要を説明するための図である。
【図３】本実施形態の技術的課題を説明するための図である。
【図４】下りリンクの先頭に付随されるPreamble信号の例を示す説明図である。
【図５】Preamble信号の構成例を示す説明図である。
【図６】Preamble信号の構成例を示す説明図である。
【図７】Preamble信号の構成例を示す説明図である。
【図８】Preamble信号の構成例を示す説明図である。
【図９】Preamble信号の構成例を示す説明図である。
【図１０】Preamble信号の構成例を示す説明図である。
【図１１】Preamble信号の構成例を示す説明図である。
【図１２】Preamble信号の構成例を示す説明図である。
【図１３】本実施形態に係る基地局の構成の一例を示すブロック図である。
【図１４】本実施形態に係る端末装置の構成の一例を示すブロック図である。
【図１５】本実施形態に係る通信システムにより実行される通信制御処理の流れの一例を示すシーケンス図である。
【図１６】ｅＮＢの概略的な構成の第１の例を示すブロック図である。
【図１７】ｅＮＢの概略的な構成の第２の例を示すブロック図である。
【図１８】スマートフォンの概略的な構成の一例を示すブロック図である。
【図１９】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて基地局１００Ａ及び１００Ｂのように区別する。ただし、実質的に同一の機能構成を有する複数の要素の各々を特に区別する必要がない場合、同一符号のみを付する。例えば、基地局１００Ａ及び１００Ｂを特に区別する必要が無い場合には、単に基地局１００と称する。
【００１７】
なお、説明は以下の順序で行うものとする。
１．はじめに
２．各装置の構成例
３．技術的特徴
４．応用例
５．まとめ
【００１８】
＜＜１．はじめに＞＞
＜１．１．システム構成例＞
図１は、本開示の一実施形態に係る通信システムの全体構成を示す図である。図１に示したように、通信システム１は、複数の基地局１００（１００Ａ及び１００Ｂ）、複数の端末装置２００（２００Ａ及び２００Ｂ）、コアネットワーク１２及びＰＤＮ（Packet  Data  Network）１３を含む。
【００１９】
基地局１００は、セル１１を運用し、セル１１の内部に位置する１つ以上の端末装置２００へ無線通信サービスを提供する通信装置である。セル１１は、例えばＬＴＥ又はＮＲ等の任意の無線通信方式に従って運用される。基地局１００は、コアネットワーク１２に接続される。コアネットワーク１２は、ゲートウェイ装置（図示せず）を介してパケットデータネットワーク（ＰＤＮ）１３に接続される。
【００２０】
コアネットワーク１２は、ＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。若しくは、コアネットワーク１２は、これらと同様の機能を有するＮＲのエンティティを含み得る。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク１２とＰＤＮ１３との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００２１】
端末装置２００は、基地局１００による制御に基づいて基地局１００と無線通信する通信装置である。例えば、端末装置２００は、基地局１００からの下りリンク信号を測定して、測定結果を示す測定情報を基地局１００へ報告する。基地局１００は、報告された測定情報（以下、測定報告とも称される場合がある）に基づいて端末装置２００との無線通信を制御する。他方、端末装置２００は、測定のための上りリンク信号を基地局１００に送信し得る。その場合、基地局１００は、端末装置２００からの上りリンク信号を測定して、測定情報に基づいて端末装置２００との無線通信を制御する。上りリンク信号を用いた測定は、下りリンク信号を用いて測定における報告が不要なので、測定情報をより早く得ることが可能である。そのため、例えば端末装置２００の移動速度が速い場合には、上りリンク信号を用いた測定が行われることが望ましい。
【００２２】
基地局１００同士は、Ｘ２インタフェースを用いて、互いに情報を送受信することができる。例えば、基地局１００は、ハンドオーバが予測される端末装置２００に関する測定情報を、隣接する他の基地局１００に送信する。これにより、安定的なハンドオーバが実現され、端末装置２００の無線通信の安定性が確保される。
【００２３】
なお、図１には図示していないが、通信システム１の周囲には、セルラー通信以外の、例えばＷｉ−Ｆｉ（登録商標）やＭｕｌｔｅＦｉｒｅ等の他のＲＡＴにより運用される無線通信サービスを提供する通信装置が存在し得る。かかる通信装置は、典型的には、ＰＤＮ１３に接続される。なお、基地局１００及び端末装置２００、並びに他のＲＡＴによる運用される通信装置を、以下ではノードとも総称する。
【００２４】
＜１．２．キャリアアクセスの方式＞
ＮＲ−Ｕ（unlicensed）は、キャリアアグリゲーションの仕組みを用いたＬＡＡ（Licensed  Assisted  Access）以外にも、様々なユースケースをサポートすることが想定されている。そのユースケースの一例として、デュアルコネクティビティ（Dual  Connectivity）、及びアンライセンスバンドのみで運用されるスタンドアロン（Stand-alone）が挙げられる。また、そのユースケースの一例として、ＤＬキャリア（下りリンク）及びＵＬ（上りリンク）キャリアのどちらか一方がライセンスバンドで運用され、他方がアンライセンスバンドで運用されることも挙げられる。その場合、例えば、ＤＬキャリアがライセンスバンドで運用されＵＬキャリアがアンライセンスバンドで運用される。
【００２５】
ＮＲ−Ｕに関し、ＥＴＳＩ  ＢＲＡＮでは、ＬＢＥ（Load-based  equipment）及びＦＢＥ（Frame-based  equipment）の２つのチャネルアクセス方式が規定されている。
【００２６】
・ＬＢＥ
ＬＢＥとは、任意のタイミングでキャリアセンスを行うチャネルアクセス方式（第１の方式に相当）である。なお、キャリアセンスとは、ＬＢＴ（Listen  Before  Talk）、ＣＳＭＡ／ＣＡ（Carrier  Sense  Multiple  Accesses  with  Collision  Avoidance）、及びＣＣＡ（Channel  Clear  Assessment）を包含する概念である。
【００２７】
ＬＢＥは、Ｗｉ−Ｆｉ等に採用されている、ＣＳＭＡ／ＣＡと同様の動作でチャネルにアクセスする方式である。ＬＢＥを行うノードは、ランダムバックオフによって複数回ＣＣＡを行い、全てのＣＣＡスロットにおいてチャネルがクリアであった場合に送信可能となる。
【００２８】
ＬＴＥ  ＬＡＡのチャネルアクセスはＬＢＥであり、ＮＲ−ＵにもＬＢＥベースのチャネルアクセスが導入される見込みである。他方、ＮＲ−Ｕにおいて、ＬＢＥに加えて、ＦＢＥの導入が検討されている。
【００２９】
・ＦＢＥ
ＦＢＥとは、所定のタイミングでキャリアセンスを行うチャネルアクセス方式（第２の方式に相当）である。ＦＢＥでは、フレームが定義されて、フレーム単位でＣＣＡが行われる。以下、図２を参照しながらＦＢＥの概要を説明する。
【００３０】
図２は、ＦＢＥの概要を説明するための図である。図２の上段は、横軸を時間軸としたＣＣＡのタイミングを示している。図２の下段は、横軸を時間軸とした送信のタイミングを示している。図２に示すように、ＦＢＥでは、固定フレーム区間（Fixed  Frame  Period）が定義され、その直前に１度だけＣＣＡが実施される。チャネルがクリアであった場合には送信可能であり、チャネルがビジーであった場合には次の固定フレーム区間まで送信が待機される。送信可能であった場合、チャネル専有時間（Channel  Occupancy  Time）において送信が行われ、アイドル区間（Idle  Period）において送信が停止される。
【００３１】
ＦＢＥにおけるＣＣＡの回数は、１度の送信あたり１回である。そのため、チャネルアクセスの遅延を低減することができる。また、固定フレーム区間を短く設定することで、ＦＢＥを低遅延通信のユースケースに適用することができる。
【００３２】
・ＬＢＥとＦＢＥとの相違点
ＬＢＥとＦＢＥとの第１の相違点は、ＣＣＡの回数である。ＬＢＥでは送信前に行われるＣＣＡの回数が１回以上であるのに対し、ＦＢＥでは送信前に行われるＣＣＡの回数は１回である。
【００３３】
ＬＢＥとＦＢＥとの第２の相違点は、フレーム定義の有無である。ＬＢＥではチャネルアクセスのための固定フレーム区間が定義されていないのに対し、ＦＢＥではチャネルアクセスのための固定フレーム区間が定義される。更には、ＬＢＥでは固定フレーム区間内に定義されるアイドル区間が定義されていないのに対し、ＦＢＥではアイドル区間が定義される。なお、同期やスケジューリング単位のためのフレーム（例えば、無線フレーム、スロット）など、チャネルアクセスのためのフレームとは異なるフレームは、どちらにも定義されることができる。
【００３４】
ＬＢＥとＦＢＥとの第３の相違点は、ＣＣＡのタイミングである。ＦＢＥではＣＣＡのタイミングが任意であるのに対し、ＬＢＥでは固定フレーム区間の直前のタイミングに固定されている。
【００３５】
ＬＢＥとＦＢＥとの第４の相違点は、衝突窓（Contention  Window）の有無である。ＬＢＥでは１回以上のＣＣＡを行うために衝突窓が設定されるのに対し、ＦＢＥでは衝突窓が設定されない。更に、ＬＢＥには衝突窓の設定に用いられる優先クラス（Priority  Class）が設定されるのに対し、ＦＢＥでは優先クラスが設定されなくてもよい。
【００３６】
＜１．３．技術的課題＞
図３は、本実施形態の技術的課題を説明するための図である。図３の上段は、横軸を時間軸とした、ＦＢＥを使用するノードＸによる通信の様子を示している。図３の下段は、横軸を時間軸とした、ＦＢＥを使用するノードＹによる通信の様子を示している。図３に示した例では、ノードＸとノードＹとの間では、同期がとれていないので、ノードＹがＣＣＡを行うタイミングでは常にノードＸが送信を行っており、ノードＹは長期間送信できない。ノードＸとノードＹとの同期がとれていない例としては、ノードＸ及びノードＹが異なるオペレータにより運用されている、又は異なるＲＡＴで運用されている場合が挙げられる。図３に示したように、共にＦＢＥを使用する複数のノード間であっても、送信機会の不公平が発生する場合がある。
【００３７】
また、ＦＢＥとＬＢＥとが共存する場合、チャネルアクセスのタイミングはＦＢＥの方がＬＢＥより少ないので、ＦＢＥの方がＬＢＥと比較して送信機会を過剰に取得し得る。他方、ＦＢＥにおけるキャリアセンスの設定（固定フレーム区間、チャネル専有時間及びアイドル区間の設定）によっては、ＬＢＥの方がＦＢＥと比較して送信機会を過剰に取得する可能性もある。
【００３８】
このように、複数のノード間では、公平なチャネルアクセスを実現することが困難な場合がある。
【００３９】
・提案技術の概要
そこで、本開示では、複数のノード間で公平なチャネルアクセスを実現することが可能な仕組みを提案する。提案技術は、基地局１００と端末装置２００との間のチャネルアクセス方式として、ＬＢＥ又はＦＢＥのいずれを使用するかを切り替える。さらに、提案技術は、基地局１００及び端末装置２００が使用するチャネルアクセス方式におけるキャリアセンスの設定を柔軟に行う。提案技術は、チャネルアクセス方式の設定及びキャリアセンスの設定を柔軟に行うことにより、送信機会の不公平の発生を抑止して、公平なチャネルアクセスを実現することが可能である。
【００４０】
＜１．４．関連技術＞
＜アンライセンスチャネルのチャネルアクセスプロシージャ＞
チャネルアクセス（Channel  access,  Listen  before  Talk）プロシージャは、基地局装置または端末装置で送信を行うアンライセンスチャネルにアクセスするために行われる。
【００４１】
ロードベース装置（ＬＢＥ：Load-Based  Equipment）と定義されるチャネルアクセスプロシージャでは、１回または複数回のチャネルのセンシング（sensing）が行われる。そのセンシングの結果に基づいてそのチャネルがアイドル（idle、unoccupied、available、enable）か、またはビジー（busy、occupied、unavailable、disable）かの判定（空き判定）が行われる。チャネルのセンシングでは、所定の待ち時間におけるチャネルの電力がセンス（sense）される。
【００４２】
チャネルアクセスプロシージャの待ち時間の一例として、第一の待ち時間（スロット）、第二の待ち時間、および、第三の待ち時間（延期期間）、第四の待ち時間、が挙げられる。
【００４３】
スロット（slot）は、チャネルアクセスプロシージャにおける、基地局装置および端末装置の待ち時間の単位である。スロットは、例えば、９マイクロ秒で定義される。
【００４４】
第二の待ち時間には、１個のスロットが先頭に挿入されている。第二の待ち時間は、例えば、１６マイクロ秒で定義される。
【００４５】
延期期間（defer  period）は、第二の待ち時間とその第二の待ち時間に続く複数個の連続したスロットで構成される。その第二の待ち時間に続く複数個の連続したスロットの個数は、QoSを満たすために用いられる優先クラス（priority  class、チャネルアクセス優先クラス）に基づいて決定される。
【００４６】
第四の待ち時間は、第二の待ち時間とその後に続く１つのスロットによって構成される。
【００４７】
基地局装置または端末装置は、所定のスロットの期間に所定のチャネルをセンス（sense）する。その基地局装置または端末装置がその所定のスロット期間内の少なくとも４マイクロ秒に対して検出した電力が所定の電力検出閾値よりも小さい場合、その所定のスロットはアイドル（idle）であるとみなされる。一方で、その電力が所定の電力検出閾値よりも大きい場合、その所定のスロットはビジー（busy）であるとみなされる。
【００４８】
チャネルアクセスプロシージャには、第一のチャネルアクセスプロシージャと第二のチャネルアクセスプロシージャがある。第一のチャネルアクセスプロシージャは、第一のチャネルアクセスプロシージャは、複数個のスロットおよび延期期間を用いて行われる。第二のチャネルアクセスプロシージャは、１つの第四の待ち時間を用いて行われる。
【００４９】
チャネルアクセスに関するパラメータは、優先クラスに基づいて決定される。チャネルアクセスに関するパラメータは、例えば、最小衝突窓、最大衝突窓、最大チャネル専有時間、衝突窓が取り得る値、などが挙げられる。優先クラスは、ＱｏＳ（Quality  of  Service）を処理するＱＣＩ（QoS  class  identifier）の値によって定められる。優先クラスとチャネルアクセスに関するパラメータの対応表を表１に、優先クラスとＱＣＩのマッピングの一例を表２に示す。
【００５０】
【表１】
2020072428.tif 000003
【００５１】
【表２】
2020072428.tif 000004
【００５２】
＜第一のチャネルアクセスプロシージャの詳細＞
第一のチャネルアクセスプロシージャにおいて、以下に記した手順が行われる。
【００５３】
（０）延期期間においてチャネルのセンシングが行われる。延期期間内のスロットにおいてチャネルがアイドルであった場合、（１）のステップに進み、そうでなければ、（６）のステップに進む。
【００５４】
（１）カウンタの初期値を取得する。そのカウンタの初期値が取り得る値は、０から衝突窓ＣＷまでの間の整数である。そのカウンタの初期値は、一様分布に従ってランダムに決定される。カウンタＮにカウンタの初期値がセットされ、（２）のステップに進む。
【００５５】
（２）カウンタＮが０よりも大きく、かつ、そのカウンタＮの減算を行うことが選択された場合、カウンタＮから１が減算される。その後、（３）のステップに進む。
【００５６】
（３）スロットの期間を追加して待機される。また、その追加のスロットにおいて、チャネルがセンスされる。その追加のスロットがアイドルであった場合は、（４）のステップに進み、そうでなければ、（５）のステップに進む。
【００５７】
（４）カウンタＮが０であった場合、このプロシージャを停止する。そうでなければ、（２）のステップに進む。
【００５８】
（５）延期期間を追加して待機される。また、その追加の延期期間に含まれるいずれか１つのスロットでビジーと検出されるまで、または、その追加の延期期間に含まれる全てのスロットがアイドルであると検出できるまで、チャネルはセンスされる。その後、（６）のステップに進む。
【００５９】
（６）チャネルがその追加の延期期間に含まれるスロットの全てでアイドルであるとセンスされた場合、（４）のステップに進み、そうでなければ、（５）のステップに進む。
【００６０】
上記のプロシージャにおける（４）のステップの停止後、そのチャネルにおいて、ＰＤＳＣＨやＰＵＳＣＨなどデータを含む送信が行われる。
【００６１】
なお、上記のプロシージャにおける（４）のステップの停止後、そのチャネルにおいて、送信が行われなくてもよい。この場合、その後、送信直前にスロットおよび延期期間の全てにおいて、チャネルがアイドルであった場合に、上記のプロシージャを行わずに送信が行われてもよい。一方で、そのスロットおよびその延期期間のいずれかにおいて、チャネルがアイドルでなかった場合に、追加の延期期間内のスロットの全てでチャネルがアイドルであるとセンシングされた後、上記のプロシージャの（１）のステップに進む。
【００６２】
＜第二のチャネルアクセスプロシージャの詳細＞
第二のチャネルアクセスプロシージャにおいて、少なくとも第四の待ち時間のセンシングの結果、チャネルがアイドルであるとみなされた直後、送信は行われてもよい。一方で、少なくとも第四の待ち時間のセンシングの結果、チャネルがアイドルでないとみなされた場合は、送信は行われない。
【００６３】
＜衝突窓適応プロシージャ＞
第一のチャネルアクセスプロシージャで用いられる衝突窓ＣＷ（contention  window）は、衝突窓適応プロシージャに基づいて決定される。
【００６４】
衝突窓ＣＷの値は、優先クラスごとに保持される。また、衝突窓ＣＷは、最小衝突窓と最大衝突窓の間の値を取る。その最小衝突窓およびその最大衝突窓は、優先クラスに基づいて決定される。
【００６５】
衝突窓ＣＷの値の調整は、第一のチャネルアクセスプロシージャの（１）のステップの前に行われる。少なくとも衝突窓適応プロシージャにおける参照サブフレームまたは参照ＨＡＲＱプロセスの共用チャネルに対応するＨＡＲＱ応答でＮＡＣＫの割合が閾値よりも高い場合、衝突窓ＣＷの値を増加させ、そうでなければ、衝突窓ＣＷの値を最小衝突窓に設定する。
【００６６】
衝突窓ＣＷの値の増加は、例えば、ＣＷ＝２・(ＣＷ＋１)−１の式に基づいて行われる。
【００６７】
＜下りリンクにおけるチャネルアクセスプロシージャの詳細＞
アンライセンスチャネルにおいて、ＰＤＳＣＨ、ＰＤＣＣＨ、および／または、ＥＰＤＣＣＨを含んだ下りリンク送信を行う場合、基地局装置は第一のチャネルアクセスプロシージャに基づいて、そのチャネルにアクセスし、その下りリンク送信を行う。
【００６８】
一方で、アンライセンスチャネルにおいて、ＤＲＳを含むがＰＤＳＣＨを含まない下りリンク送信を行う場合、基地局装置は第二のチャネルアクセスプロシージャに基づいて、そのチャネルにアクセスし、その下りリンク送信を行う。なお、その下りリンク送信の期間は、１ミリ秒よりも小さいことが好ましい。
【００６９】
＜上りリンクにおけるチャネルアクセスプロシージャの詳細＞
アンライセンスチャネルにおいて、ＰＵＳＣＨをスケジュールする上りリンクグラントで第一のチャネルアクセスプロシージャを行うことを指示された場合、端末装置はそのＰＵＳＣＨを含んだ上りリンク送信の前に第一のチャネルアクセスプロシージャを行う。
【００７０】
また、ＰＵＳＣＨをスケジュールする上りリンクグラントで第二のチャネルアクセスプロシージャを行うことを指示された場合、端末装置はそのＰＵＳＣＨを含んだ上りリンク送信の前に第二のチャネルアクセスプロシージャを行う。
【００７１】
また、ＰＵＳＣＨは含まないがＳＲＳは含む上りリンク送信に対しては、端末装置はその上りリンク送信の前に第二のチャネルアクセスプロシージャを行う。
【００７２】
また、上りリンクグラントで指示された上りリンク送信の末尾が上りリンク期間（UL  duration）内であった場合、その上りリンクグラントで指示されたプロシージャタイプにかかわらず、端末装置はその上りリンク送信の前に第二のチャネルアクセスプロシージャを行う。
【００７３】
また、基地局からの下りリンク送信終了後に第四の待ち時間を挟んで上りリンク送信が続く場合、端末装置はその上りリンク送信の前に第二のチャネルアクセスプロシージャを行う。
【００７４】
＜本実施形態におけるＮＲのチャネルアクセスプロシージャ＞
ＮＲを用いたアンライセンスチャネルでのチャネルアクセスプロシージャでは、ビームフォームされていないチャネルセンシングとビームフォームされたチャネルセンシングが行われる。
【００７５】
ビームフォームされていないチャネルセンシングは、指向性が制御されない受信によるチャネルセンシング、または、方向の情報を持たないチャネルセンシングである。方向の情報を持たないチャネルセンシングとは、例えば、全方位で測定結果を平均化されたチャネルセンシングである。送信局は、チャネルセンシングで用いられた指向性（角度、方向）を認知しなくてもよい。
【００７６】
ビームフォームされたチャネルセンシングは、指向性が制御された受信によるチャネルセンシング、または、方向の情報を持つチャネルセンシングである。すなわち、受信ビームが所定の方向に向けられたチャネルセンシングである。ビームフォームされたチャネルセンシングを行う機能を有する送信局は、異なる指向性を用いた１回以上のチャネルセンシングを行うことができる。
【００７７】
ビームフォームされたチャネルセンシングを行うことで、センシングによって検出されるエリアを狭めることができる。これにより、送信局は、干渉を与えない通信リンクの検出の頻度を減らし、さらし端末問題を軽減することができる。
【００７８】
＜フレームベース装置（ＦＢＥ）のチャネルアクセス＞
フレームベース装置（ＦＢＥ、Frame  Based  Equipment）と定義されるチャネルアクセス（Channel  access,  Listen  before  Talk）プロシージャは、送信前に１回のチャネルのセンシング（sensing）が行われる。そのセンシングの結果に基づいてそのチャネルがアイドル（idle、unoccupied、available、enable）か、またはビジー（busy、occupied、unavailable、disable）かの判定（空き判定）が行われる。チャネルのセンシングでは、所定の待ち時間におけるチャネルの電力がセンス（sense）される。
【００７９】
フレームベース装置に用いられる送信および／または受信構成は、固定フレーム区間（Fixed  Frame  Period）と称される周期的なタイミングを有する。
【００８０】
フレームベース装置のチャネルアクセスにおいて、固定フレーム区間が設定される。固定フレーム区間は、１ミリ秒から１０ミリ秒の間で設定される。固定フレーム区間は、２００ミリ秒間で１度のみ変更可能である。
【００８１】
フレームベース装置のチャネルアクセスでは、固定フレーム区間の先頭からの送信開始直前に、装置はチャネルのセンシングを行う。装置は、９マイクロ秒以下で構成される１スロットを用いて１度センシングを行う。チャネルのセンシングの結果、電力値が所定の電力検出閾値よりも大きい場合、チャネルはビジーであると思われる。一方、電力値が所定の電力検出閾値よりも小さい場合、チャネルはクリアであり、装置は送信することができる。装置は、チャネル専有時間（Channel  Occupancy  Time）の間、送信することができる。装置は、チャネル専有時間内かつ複数送信間のギャップが１６マイクロ秒以下であれば、センシングを行わずに複数送信を行うことができる。一方で、複数送信間のギャップが１６マイクロ秒を超える場合、装置は追加のチャネルセンシングを行う必要がある。追加のチャネルセンシングも同様に、１スロットを用いて１度センシングが行われる。
【００８２】
フレームベース装置のチャネルアクセスにおけるチャネル専有時間は、固定フレーム区間の９５％を超えない。フレームベース装置のチャネルアクセスにおけるアイドル区間（Idle  Period）は、固定フレーム区間の５％以上である。なお、アイドル区間は、１００マイクロ秒以上である。
【００８３】
装置からの送信に対する応答（ＡＣＫ／ＮＡＣＫ、ＨＡＲＱ−ＡＣＫ）の送信は、チャネル専有時間内で行われても良い。
【００８４】
＜Preamble信号＞
このPreamble信号（initial信号、wake-up信号）は、下りリンク検出、ＰＤＣＣＨのモニタリングの削減、共存／空間再利用の用途として生成されうる。また図４に示したように、このPreamble信号は基地局１００から送信される信号の先頭に置かれる。Preamble信号は、基地局１００から毎シンボル送信されても良く、数シンボルに一度送信されても良い。Preamble信号の送信周期は、ＰＤＣＣＨの周期と紐付けられてもよく、独立していても良い。端末装置２００が使用する電力を抑えることを考えると、Preamble信号の送信周期は、ＰＤＣＣＨの周期と独立していることが望ましい。また、このPreamble信号は、チャネル占有期間（Channel  Occupancy  Time；ＣＯＴ）内で複数置かれても良い。Preamble信号がＣＯＴ内で置かれる場合、スロットの先頭に置かれても良く、スロットの途中に置かれても良い。いずれの場合であっても、preamble信号は１スロット周期で配置されうる。
【００８５】
Preamble信号は１、２シンボル程度が望ましい。Preamble信号は、ＲＲＭ／ＲＬＭ／ＣＳＩ測定に用いられても良い。この場合、Preamble信号はＲＬＭ−ＲＳの１つとして設定することができる。
【００８６】
Preamble信号の送信電力は、ＲＲＭ／ＲＬＭ測定に用いるなら、固定であることが望ましい。Preamble信号の送信電力は、高次（上位）のレイヤで端末装置に設定されてもよい。ＰＤＣＣＨのＤＭＲＳとPreamble信号との電力比は、高次（上位）のレイヤで端末装置に設定されてもよい。
【００８７】
端末装置２００は、Preamble信号を検出した場合、ミニスロットのＰＤＣＣＨのモニタを開始する。ミニスロットのＰＤＣＣＨのモニタとは、スロットの途中でＰＤＣＣＨをモニタすることである。これは設定としては、通常のCORESET  Configurationとは別のPreamble信号に紐づくCORESET  Configurationとなる。端末装置２００は、Preamble信号を検出しない場合、スロットベースのＰＤＣＣＨをモニタする。これは設定としては、起動信号に紐づかないCORESET  Configurationとなる。
【００８８】
少なくともPreamble信号と共通ＰＤＣＣＨ（ＳＦＩを含む）のＤＭＲＳは擬似コロケーション（ＱＣＬ：Quasi  Co-Location）である。端末装置は、Preamble信号と共通ＰＤＣＣＨのＤＭＲＳはＱＣＬであると想定して、信号処理を行う。
【００８９】
Preamble信号は１種類のシーケンス、１シンボルで構成されてもよい。図５は、Preamble信号の構成例を示す説明図である。この構成のPreamble信号には、ＺＣ系列やｍ系列など、衝突しても（同リソースが用いられても）分離可能な直交特性の高い（相互相関特性の低い）系列が用いられることが好ましい。
【００９０】
Preamble信号は１種類のシーケンス、２シンボル以上で構成されてもよい。図６は、Preamble信号の構成例を示す説明図である。この構成では、周波数軸上では、インターレース状にリソースが割り当てられる。この構成は、周波数リユースによって、セル間で異なる周波数リソースを用いることが可能であるため、検出率を向上させることができる。このPreamble信号には、ゴールド系列など、直交系列数が多い系列が用いられてもよい。
【００９１】
Preamble信号は２種類のシーケンスの組み合わせ、２シンボル以上で構成されてもよい。図７は、Preamble信号の構成例を示す説明図である。このPreamble信号には、ＺＣ系列やｍ系列など直交特性の高い系列と、ゴールド系列など直交系列数が多い系列など、異なる性質の系列で組み合わされて用いられることが好ましい。この構成は、特徴の異なる系列を複数用いることができるため、用途に応じて適切な信号系列を構築することができる。例えば、端末装置の下りリンク検出のために、検出負荷の低い系列（例えば、ＺＣ系列）が１つ目として適用され、共存／空間再利用のために、相互相関の低い系列（例えば、ｍ系列）が２つ目として適用される。
【００９２】
Preamble信号は、図７で示した構成に、更にインターレース状に周波数リソースが割り当てられてもよい。図８は、Preamble信号の構成例を示す説明図であり、インターレース状に周波数リソースが割り当てられた構成を示す説明図である。
【００９３】
Preamble信号は、図７で示した構成に、１種類の１シンボルのみがインターレース状に周波数リソースが割り当てられてもよい。図９は、Preamble信号の構成例を示す説明図であり、１種類の１シンボルのみがインターレース状に周波数リソースが割り当てられた構成を示す説明図である。
【００９４】
Preamble信号は２種類以上のシーケンスが交互に配置されてもよい。図１０は、Preamble信号の構成例を示す説明図であり、２種類のシーケンスが交互に配置された構成を示す説明図である。この構成は、１つのシンボルで複数種類のシーケンスを送信することができる。
【００９５】
Preamble信号は１つ目のシーケンスはキャリアの中央に配置され、２つ目のシーケンスは残りの周波数に多重される構成を有してもよい。図１１は、Preamble信号の構成例を示す説明図である。このような構成により、１つ目のシーケンスによってキャリア中心周波数に対する同期が容易になる。
【００９６】
ＳＳ／ＰＢＣＨブロックがPreamble信号として用いられてもよい。図１２は、Preamble信号の構成例を示す説明図である。このような構成により、Preamble信号を発見信号（discovery  signal）や初期アクセスのための信号として用いることができる。またこのような構成により、ＳＳ／ＰＢＣＨブロックの送信頻度を向上させることができる。
【００９７】
無線ＬＡＮのプリアンブルがPreamble信号として用いられてもよい。無線ＬＡＮのプリアンブルは、ＳＴＦ（Short  Training  Field）、ＬＴＦ（Long  Training  Field）、ＳＩＧ（Signal  Field）、PHYヘッダ、および／またはMACヘッダを含み得る。
【００９８】
＜＜２．各装置の構成例＞＞
＜２．１．基地局の構成例＞
図１３は、本実施形態に係る基地局１００の構成の一例を示すブロック図である。図１３を参照すると、基地局１００は、アンテナ部１１０、無線通信部１２０、ネットワーク通信部１３０、記憶部１４０及び制御部１５０を備える。
【００９９】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【０１００】
（２）無線通信部１２０
無線通信部１２０は、信号を送受信する。例えば、無線通信部１２０は、端末装置へのダウンリンク信号を送信し、端末装置からのアップリンク信号を受信する。
【０１０１】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局、他のリレー、他の無線ＬＡＮ  ＡＰ（Access  Point）または無線ＬＡＮ  ＳＴＡ（Station）、及びコアネットワークノードを含む。
【０１０２】
（４）記憶部１４０
記憶部１４０は、基地局１００の動作のためのプログラム及び様々なデータを一時的に又は恒久的に記憶する。
【０１０３】
（５）制御部１５０
制御部１５０は、基地局１００全体の動作を制御して、基地局１００の様々な機能を提供する。制御部１５０は、設定部１５１及び通信制御部１５３を含む。
【０１０４】
設定部１５１は、基地局１００と接続する端末装置２００との間の通信に関する設定を行う機能を有する。例えば、設定部１５１は、基地局１００及び端末装置２００が使用するチャネルアクセス方式を設定する（即ち、決定する）。具体的には、設定部１５１は、基地局１００及び端末装置２００がＬＢＥ又はＦＢＥのいずれを使用するかを設定する。また、設定部１５１は、基地局１００及び端末装置２００が行うキャリアセンスの設定を行う（即ち、決定する）。そして、設定部１５１は、端末装置２００が使用すべきチャネルアクセス方式及びキャリアセンスの設定を示す設定情報を、端末装置２００に通知する。ここで、設定部１５１は、アンライセンスバンドにおける設定を行う。即ち、設定部１５１は、基地局１００と端末装置２００との間で行われるアンライセンスバンドにおけるチャネルアクセス方式の設定及びキャリアセンスの設定を行い、設定情報を端末装置２００に通知する。
【０１０５】
通信制御部１５３は、端末装置２００との間の通信を制御する機能を有する。例えば、通信制御部１５３は、設定部１５１によるチャネルアクセス方式の設定に従って、端末装置２００との通信を行う。基地局１００は、ＬＢＥ及びＦＢＥを使用可能であり、通信制御部１５３は、ＬＢＥ及びＦＢＥのいずれかを使用して、端末装置２００と通信する。また、通信制御部１５３は、設定部１５１によるキャリアセンスの設定に従って、キャリアセンスを行う。
【０１０６】
制御部１５０は、これらの構成要素以外の他の構成要素をさらに含み得る。即ち、制御部１５０は、これらの構成要素の動作以外の動作も行い得る。
【０１０７】
＜２．２．端末装置の構成例＞
図１４は、本実施形態に係る端末装置２００の構成の一例を示すブロック図である。図１４を参照すると、端末装置２００は、アンテナ部２１０、無線通信部２２０、記憶部２３０及び制御部２４０を備える。
【０１０８】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【０１０９】
（２）無線通信部２２０
無線通信部２２０は、信号を送受信する。例えば、無線通信部２２０は、基地局からのダウンリンク信号を受信し、基地局へのアップリンク信号を送信する。
【０１１０】
（３）記憶部２３０
記憶部２３０は、端末装置２００の動作のためのプログラム及び様々なデータを一時的に又は恒久的に記憶する。
【０１１１】
（４）制御部２４０
制御部２４０は、端末装置２００全体の動作を制御して、端末装置２００の様々な機能を提供する。制御部２４０は、設定部２４１及び通信制御部２４３を含む。
【０１１２】
設定部２４１は、端末装置２００と接続する基地局１００との間の通信に関する設定を行う機能を有する。例えば、設定部１５１は、基地局１００から通知された設定情報に基づいて、使用するチャネルアクセス方式を設定する。また、設定部１５１は、基地局１００から通知された設定情報に基づいて、キャリアセンスの設定を行う。ここで、設定部２４１は、アンライセンスバンドにおける設定を行う。即ち、設定部２４１は、基地局１００と端末装置２００との間で行われるアンライセンスバンドにおけるチャネルアクセス方式の設定及びキャリアセンスの設定を、設定情報に基づいて行う。
【０１１３】
通信制御部２４３は、基地局１００との間の通信を制御する機能を有する。例えば、通信制御部２４３は、設定部２４１による設定に従って、基地局１００との通信を行う。端末装置２００は、ＬＢＥ及びＦＢＥを使用可能であり、通信制御部２４３は、ＬＢＥ及びＦＢＥのいずれかを使用して、基地局１００と通信する。また、通信制御部２４３は、設定部２４１によるキャリアセンスの設定に従って、キャリアセンスを行う。
【０１１４】
制御部２４０は、これらの構成要素以外の他の構成要素をさらに含み得る。即ち、制御部２４０は、これらの構成要素の動作以外の動作も行い得る。
【０１１５】
＜＜３．技術的特徴＞＞
＜３．１．設定情報の中身＞
・チャネルアクセス方式
設定情報は、端末装置２００が使用すべきチャネルアクセス方式を示す情報を含む。設定情報は、使用すべきチャネルアクセス方式を示す情報として、以下に説明する情報の少なくともいずれかを含む。
【０１１６】
設定情報は、ＦＢＥを使用すべきか否かを示す情報を含み得る。さらに、設定情報は、ＬＢＥを使用すべきか否かを示す情報を含んでいてもよい。若しくは、設定情報は、使用すべきチャネルアクセス方式を示す情報を含んでいてもよい。
【０１１７】
設定情報は、基地局１００と他のノードとの間で同期が確立しているか否かを示す情報を含み得る。ここで、他のノードとは、例えば基地局１００の隣接基地局である。例えば、同期が確立していることを示す情報を設定情報が含む場合、端末装置２００は、使用するチャネルアクセス方式としてＦＢＥを設定し、そうでない場合はＬＢＥを設定する。これにより、ノード間の同期情報に応じたチャネルアクセス方式の切り替えが可能となり、図３を参照して上記説明したＦＢＥを使用する複数のノード間の送信機会の不公平の発生を抑止することができる。
【０１１８】
設定情報は、位置と当該位置に端末装置２００が位置する場合に使用すべきチャネルアクセス方式とを対応付けた情報を含み得る。例えば、端末装置２００は、設定情報が示す所定エリア内ではＦＢＥを使用し、当該所定エリア外ではＬＢＥを使用する。設定情報が示す位置は、地理的位置であってもよいし、建物（フロア、部屋）であってもよいし、セルであってもよいし、トラッキングエリアであってもよい。例えば、設定情報は、ある建物（工場、病院）内ではＬＢＥを使用すべきこと、及び当該建物外ではＦＢＥを使用すべきことを示す情報を含む。これにより、位置に応じたチャネルアクセス方式の切り替えが可能となる。
【０１１９】
位置を表す情報は、地理的位置を示す情報であってもよく、基準位置からの相対位置を示す情報であってもよい。更に、位置の単位は、物理的な距離であってもよいし、物理的距離とパスロスが相関関係を有することに起因する受信電力強度から表される無線的距離（Radio  Distance）であってもよい。具体的には、所定エリアは、地理的位置で表されるエリアであってもよく、無線装置から受ける長期的な受信電力強度が所定の閾値以下または以上になるエリアであってもよい。
【０１２０】
地理的位置の情報は、緯度および経度の情報を含み得る。なお、地理的位置の情報は、高度の情報を含み得てもよい。
【０１２１】
相対位置の情報は、例えば、無線装置（主に、基地局１００などの固定ノード）からの相対位置、相対距離、および／または相対方位の情報、および、無線装置の情報（無線装置の識別子（セルＩＤ）、地理的情報など）を含み得る。
【０１２２】
設定情報は、周波数帯域と当該周波数帯域を端末装置２００が使用する場合に使用すべきチャネルアクセス方式とを対応付けた情報を含み得る。例えば、端末装置２００は、設定情報が示す所定の周波数帯域ではＦＢＥを使用し、当該所定の周波数帯域以外の周波数帯域ではＬＢＥを使用する。これにより、周波数帯域に応じたチャネルアクセス方式の切り替えが可能となる。所定の周波数帯域は、例えば、６ＧＨｚ帯である。具体的には、６ＧＨｚ帯ではＦＢＥが設定されてもよく、５ＧＨｚ帯ではＬＢＥが設定される。
【０１２３】
設定情報は、時間と当該時間に端末装置２００が使用すべきチャネルアクセス方式とを対応付けた情報を含み得る。例えば、端末装置２００は、設定情報が示す所定の区間ではＦＢＥを使用し、当該所定の区間以外の時間ではＬＢＥを使用する。これにより、時間に応じたチャネルアクセス方式の切り替えが可能となる。
【０１２４】
なお、設定情報は、上記の設定の組み合わせを指示する情報であってもよい。例えば、設定情報は、基地局１００と他のノードとの間で同期が確立しているか否かを示す情報、かつ、位置と当該位置に端末装置２００が位置する場合に使用すべきチャネルアクセス方式とを対応付けた情報、を同時に含み得る。端末装置２００は、基地局１００と他のノードとの間で同期が確立しており、かつ、所定エリアに位置する場合に、ＦＢＥを適用することが可能になる。
【０１２５】
・キャリアセンスの設定
設定情報は、端末装置２００が行うべきキャリアアクセスの設定を示す情報を含む。
【０１２６】
設定情報は、ＦＢＥにおけるフレーム構成を示す情報を含み得る。例えば、設定情報は、固定フレーム区間の長さ及びタイミング、チャネル専有時間とアイドル区間との比を含む。なお、固定フレーム区間のタイミングとは、固定フレーム区間の先頭のタイミングを意味する。固定フレーム区間の境界は、少なくとも、ＬＴＥやＮＲのシンボル境界と一致する。さらに、固定フレーム区間の先頭は、ＬＴＥやＮＲのスロットの先頭と一致していることが望ましいが、ずれ（Offset）があってもよく、そのずれが端末装置２００に設定されてもよい。
【０１２７】
・通知方法
設定情報の通知方法は、多様に考えられる。
【０１２８】
初期アクセスのタイミングでは、設定情報は、ＰＢＣＨ（Physical  Broadcast  Channel）又はシステム情報（例えば、ＳＩＢ（System  Information  Block）１）を用いて端末装置２００に通知されてもよい。また、上りリンクのＲＲＣ設定で、設定情報の通知が行われてもよい。
【０１２９】
ハンドオーバのタイミングでは、設定情報は、ハンドオーバに関する情報に含まれて通知されてもよい。例えば、設定情報は、ハンドオーバコマンド（Handover  Command）に含まれて端末装置２００に通知される。例えば、設定情報は、ハンドオーバに関するＲＲＣ設定情報に含まれて端末装置２００に通知される。例えば、設定情報が含まれない場合、ハンドオーバ元とハンドオーバ先の間でチャネルアクセス方式の変更が行われず、設定情報が含まれる場合、設定情報に基づいてチャネルアクセス方式の変更が行われる。
【０１３０】
チャネルアクセス方式のダイナミックな切り替えが可能な場合、設定情報は、ＭＡＣ  ＣＩ、グラント（即ち、ＤＣＩ（Downlink  Control  Information））、またはPreamble信号に含まれて端末装置２００に通知されてもよい。例えば、設定情報が含まれない場合、直前に行われたチャネルアクセス方式を行い、設定情報が含まれる場合、設定情報に基づいてチャネルアクセス方式を行う。
【０１３１】
なお、通知方法は上記の組み合わせであってもよい。、例えば、フォールバックＤＣＩ（すなわち、ＤＣＩフォーマット０＿０またはＤＣＩフォーマット１＿０）または共有サーチスペースのＤＣＩで通知される場合、端末装置２００はＲＲＣ設定の設定情報に従い、そうでなければ、端末装置２００はＤＣＩに含まれる設定情報に従う。
【０１３２】
＜３．２．長期的な保証に基づく設定＞
チャネルアクセス方式及びキャリアセンスの設定は、長期的な保証に基づいて行われてもよい。
【０１３３】
基地局１００及び端末装置２００の周囲にＦＢＥを使用するノードのみが存在することが長期的に保証され、且つ、ＦＢＥを使用するノード間で同期が確立している場合に、ＦＢＥが使用され、そうでない場合はＬＢＥが使用される。この長期的な保証は、例えば法律により与えられる。
【０１３４】
長期的な保証は、位置に基づいて与えられてもよい。例えば、基地局１００は、長期的な保証が得られた位置においてＦＢＥを使用するよう設定し、それ以外の位置においてＬＢＥを使用するよう設定する。この際、基地局１００は、その位置に固定されており、移動することはない。
【０１３５】
長期的な保証は、周波数帯域に基づいて得られてもよい。例えば、基地局１００は、長期的な保証が得られた周波数帯域においてＦＢＥを使用するよう設定し、それ以外の周波数帯域においてＬＢＥを使用するよう設定する。
【０１３６】
長期的な保証は、時間に基づいて得られてもよい。例えば、基地局１００は、長期的な保証が得られた時間においてＦＢＥを使用するよう設定し、それ以外の時間においてＬＢＥを使用するよう設定する。長期的な保証が得られる時間は、例えば周期として設定される。
【０１３７】
この長期的な保証は、データベースからの承認によって得られてもよい。例えば、基地局１００は、データベースによってＦＢＥを使用するよう承認が得られた場合にＦＢＥを使用するように設定し、それ以外においてＬＢＥを使用するよう設定する。
【０１３８】
＜３．３．地理的位置に基づく設定＞
チャネルアクセス方式及びキャリアセンスの設定は、地理的位置に基づいて行われてもよい。
【０１３９】
設定部１５１は、基地局１００の位置に基づいて、基地局１００と端末装置２００との通信のために使用するチャネルアクセス方式を設定し得る。また、設定部１５１は、端末装置２００の位置に基づいて、基地局１００と端末装置２００との通信のために使用するチャネルアクセス方式を設定し得る。
【０１４０】
設定部１５１は、基地局１００又は端末装置２００の周囲にＬＢＥを使用するノードが存在する場合にＬＢＥを使用するよう設定し、周囲にＬＢＥを使用するノードが存在しない場合にＦＢＥを使用するよう設定する。設定部１５１は、基地局１００が接続されているデータベースからの情報に基づいて、使用するチャネルアクセス方式を設定してもよい。かかるデータベースは、例えば、基地局１００の隣接基地局、リレーノード、及び他のＲＡＴ（例えば、Ｗｉ−Ｆｉなどの無線ＬＡＮ）のノードの、位置情報、ＲＡＴ、及びチャネルアクセス方式等を管理する。データベースからの情報は、使用すべきチャネルアクセス方式を示す情報を含んでいてもよいし、他のノードの位置情報及びチャネルアクセス方式を組み合わせた情報を含んでいてもよい。
【０１４１】
データベースは、基地局１００の通信設定を管理する。データベースは接続する基地局１００に対して、無線リソースの使用許可を与えることができる。更に、データベースは接続する基地局１００に対して、送信電力、使用可能なリソース（周波数および時間リソース）、基地局間同期などを制御することができる。更に、データベースは、チャネルアクセスを管理することができる。すなわち、データベースは、所定の装置に対して、他の装置がアクセスすることができない排他的なリソースの利用を許可することができる。データベースは、ＳＯＮ（Self-Organized  Network、Self-Optimization  Network）の仕組みの一部を処理することができる。
【０１４２】
データベースは、複数のオペレータ間の無線リソース共用制御を行うことができる。すなわち、データベースは、複数のオペレータの基地局１００に接続し、無線リソース共用制御に関する制御情報をやり取りする。オペレータ間の無線リソース共用制御情報は、ＰＬＮＭ（Public  Land  Mobile  Network）、利用可能な無線リソース、物理セル識別子（ＰＣＩ、Physical  Cell  Identity）を含み得る。
【０１４３】
データベースは、コアネットワークの装置の一部として含み得てもよいし、コアネットワークの外部に配置されてもよい。
【０１４４】
＜３．４．ＬＢＥを使用する他のノードに基づく設定＞
チャネルアクセス方式及びキャリアセンスの設定は、ＦＢＥを使用する他のノードに基づいて行われてもよい。
【０１４５】
（１）他のノードに基づくチャネルアクセス方式の設定
設定部１５１は、ＬＢＥを使用する他のノードの検出結果に基づいて、基地局１００と端末装置２００との通信のために使用するチャネルアクセス方式を設定し得る。例えば、設定部１５１は、ＬＢＥを使用する他のノードが検出された場合に、ＬＢＥを使用するよう設定し、ＬＢＥを使用する他のノードが検出されない場合に、ＦＢＥを使用するよう設定する。ここで、検出する主体は、基地局１００であってもよいし、端末装置２００であってもよい。これにより、ＦＢＥを使用するノードとＬＢＥを使用するノードとの間での送信機会の不公平が発生することを抑止することができる。
【０１４６】
・他のノードから送信された信号の検出に基づく設定
ＬＢＥを使用する他のノードは、当該他のノードから送信された信号に基づいて検出される。ＬＢＥを使用する他のノードの存在は、ＥＤ（Energy  detection）により検出されてもよい。ＥＤの閾値は任意に設定され得る。ＬＢＥを使用する他のノードの存在は、チャネルビジーであると判断されることが所定回数を超える場合に検出されてもよい。
【０１４７】
例えば、１度でもＬＢＥを使用する他のノードから送信された信号が検出された場合、設定部１５１は、ＬＢＥを使用するよう設定する。他方、ＬＢＥを使用する他のノードから送信された信号が検出されない期間が長期間に及ぶ場合に、設定部１５１は、ＦＢＥを使用するよう設定する。
【０１４８】
−測定
他のノードから送信された信号は、測定（measurement）により検出され得る。測定は、基地局１００により実施されてもよいし、端末装置２００により実施され基地局１００に報告されてもよい。測定対象は、ＲＳＳＩ（Received  Signal  Strength  Indicator）であってもよい。例えば、設定部１５１は、基地局１００が測定した、又は端末装置２００から報告された、他のノードからの受信電力が所定値を下回る場合にＦＢＥを使用するよう設定し、そうでない場合にＬＢＥを使用するよう設定する。また、測定対象は、チャネルビジー率（channel  busy  ratio）であってもよい。チャネルビジー率とは、所定期間において受信電力が所定値を超えた時間の割合である。例えば、設定部１５１は、チャネルビジー率が所定値（例えば、１０％）を下回る場合にＦＢＥを使用するよう設定し、そうでない場合にＬＢＥを使用するよう設定する。
【０１４９】
−パケットの検出
他のノードから送信された信号は、パケットの検出により検出され得る。パケットの検出は、基地局１００により実施されてもよいし、端末装置２００により実施されてもよい。検出対象のパケットは、例えばＷｉ−Ｆｉのビーコンである。例えば、設定部１５１は、Ｗｉ−Ｆｉのビーコンが検出された場合にＬＢＥを使用するよう設定し、そうでなければＦＢＥを使用するよう設定する。
【０１５０】
・他のノードに関するセンサ情報に基づく設定
ＬＢＥを使用する他のノードは、他のノードに関するセンサ情報に基づいて検出されてもよい。センサ情報は、レーダー又は撮像装置等の任意のセンサ装置により得らえる情報である。例えば、設定部１５１は、基地局１００又は端末装置２００に搭載されたセンサ装置により得られたセンサ情報により、周囲にＬＢＥを使用する他のノードが存在しないことが確認された場合に、ＦＢＥを使用するよう設定する。なお、センサ情報に基づく他のノードの検出は、ＡＩ（artificial  intelligence）により実施されてもよい。
【０１５１】
・使用要求／応答ベースのプロシージャによる設定
設定部１５１は、使用要求／応答ベースのプロシージャで、基地局１００と端末装置２００との通信のために使用するチャネルアクセス方式を設定し得る。例えば、設定部１５１は、所定のデータ送信の前において、他のノードに対し、ＦＢＥの使用リクエストを送信する。設定部１５１は、他のノードからＦＢＥの使用許可が応答された場合に所定の期間内で行われるチャネルアクセスはＦＢＥを使用するよう設定し、他のノードからＦＢＥ使用不許可が応答された場合又は応答がない場合にＬＢＥを使用するよう設定する。
【０１５２】
（２）他のノードの検出結果に基づくキャリアセンスの設定
設定部１５１は、キャリアセンスの設定を、ＬＢＥを使用する他のノードの検出結果に応じて設定し得る。例えば、設定部１５１は、ＦＢＥにおけるフレーム構成を、ＬＢＥを使用する他のノードの検出結果に応じて設定する。設定対象は、固定フレーム区間におけるチャネル専有時間及びアイドル区間の長さを含み得る。なお、下りリンクと上りリンクとで、チャネル専有時間及びアイドル区間の長さは異なっていてもよい。設定対象は、固定フレーム区間の長さを含み得る。なお、下りリンクと上りリンクとで、固定フレーム区間の長さは異なっていてもよい。ＦＢＥのキャリアセンスの設定を適切に行うことで、ＦＢＥを使用するノードとＬＢＥを使用するノードとの間での送信機会の不公平を軽減することができる。
【０１５３】
＜３．５．パケットごとの設定＞
チャネルアクセス方式及びキャリアセンスの設定は、送信対象のパケットに基づいて行われてもよい。
【０１５４】
設定部１５１は、パケットごとに、基地局１００と端末装置２００との通信のために使用するチャネルアクセス方式を設定し得る。ここでのパケットとは、基地局１００が送信するパケットであってもよいし、端末装置２００が送信するパケットであってもよい。
【０１５５】
設定部１５１は、パケットサイズに基づいて、使用するチャネルアクセス方式を設定してもよい。例えば、設定部１５１は、パケットサイズが小さい場合にＦＢＥを使用するよう設定し、パケットサイズが大きい場合にＬＢＥを使用するよう設定する。これにより、不要な長期間のチャネルの専有を回避することができる。
【０１５６】
設定部１５１は、パケットのユースケースに基づいて、使用するチャネルアクセス方式を設定してもよい。例えば、設定部１５１は、ファクトリーオートメーション（工場自動化）関連のパケットについては、ＦＢＥを使用するよう設定する。換言すると、設定部１５１は、パケットのＱｏＳ（Quality  of  Service）に基づいて、端末装置２００が使用するチャネルアクセス方式を設定してもよい。ファクトリーオートメーション関連のパケットであるか否かは、ＱｏＳにより判断可能である。例えば、設定部１５１は、装置が工場内に設置された場合、ＦＢＥを使用するよう設定する。
【０１５７】
設定部１５１は、パケットが周期的か非周期的かに基づいて、端末装置２００が使用するチャネルアクセス方式を設定してもよい。例えば、設定部１５１は、ＳＲＳ（Sounding  Reference  Signal）、スケジューリングリクエスト、ＣＳＩ報告などの周期的な制御情報や音声やストリーミング等の周期的なトラフィックに係るパケットについてはＦＢＥを使用するよう設定し、他の非周期的なトラフィックに係るパケットについてはＬＢＥを使用するよう設定する。
【０１５８】
＜３．６．他のノードの信号の優先度に基づく設定＞
チャネルアクセス方式及びキャリアセンスの設定は、他のノードの信号の優先度に基づいて行われてもよい。
【０１５９】
設定部１５１は、他のノードから送信されたパケットの優先度に基づいて、基地局１００と端末装置２００との通信のために使用するチャネルアクセス方式を設定する。例えば、設定部１５１は、優先度の高いパケットが検出された場合にＬＢＥを使用するよう設定し、そうでない場合にＦＢＥを使用するよう設定する。これにより、他のノードによる優先度の高いパケットの送信を阻害することを防止することができる。
【０１６０】
なお、パケットの優先度を示す情報は、ノードにより周囲に通知され得る。例えば、Preamble信号を用いて、パケットの優先度を示す情報が周囲に通知され得る。他にも、ＰＤＣＣＨを用いて、パケットの優先度を示す情報が周囲に通知され得る。
【０１６１】
＜３．７．周期に基づく設定＞
チャネルアクセス方式及びキャリアセンスの設定は、周期的に行われてもよい。
【０１６２】
設定部１５１は、基地局１００と端末装置２００との通信のために使用するチャネルアクセス方式を所定周期で切り替える。例えば、設定部１５１は、所定の区間ではＦＢＥを使用するよう設定し、他の区間ではＬＢＥを使用するよう設定する。周期的にＬＢＥとＦＢＥとを切り替える。これにより、他のノードとの送信機会の不公平性を軽減することができる。
【０１６３】
＜３．７．Preamble信号に基づく設定＞
チャネルアクセス方式及びキャリアセンスの設定は、Preamble信号が運ぶ情報に基づいて行われてもよい。
【０１６４】
設定部１５１は、他のノードからPreamble信号に基づいて、基地局１００と端末装置２００との通信のために使用するチャネルアクセス方式を設定する。Preamble信号が運ぶ情報によってＦＢＥを使用するように指示された場合、設定部１５１は、ＦＢＥを使用するよう設定し、そうでなければ、設定部１５１は、ＬＢＥを使用するよう設定する。
【０１６５】
Preamble信号において、ＮＲ基地局または無線ＬＡＮ  ＡＰを区別する識別子が含まれてもよい。当該識別子は、シーケンスの系列に割り当てられてもよいし、運ばれるビット列によって表されてもよい。
【０１６６】
ＮＲ基地局または無線ＬＡＮ  ＡＰを区別する識別子の一例は、オペレータＩＤ（例えば、ＰＬＭＮ）である。オペレータＩＤにおいて、どのオペレータでもないＩＤが含まれていた場合、設定部１５１は、信号元が無線ＬＡＮ  ＡＰであると認識することができる。端末装置は、送信元が無線ＬＡＮ  ＡＰであると認識した場合、その送信元が得たチャネル専有時間および帯域においてキャリアセンスを行わなくてもよいし、ＰＤＣＣＨのモニタリングやチャネルの測定も行わなくてもよい。端末装置は、送信元が無線ＬＡＮ  ＡＰであると認識した場合、後に基地局１００に対して周囲に無線ＬＡＮ  ＡＰが存在すると報告してもよい。
【０１６７】
ＮＲ基地局または無線ＬＡＮ  ＡＰを区別する識別子の一例は、ＢＳＳ（Basic  Service  Set）  Ｃｏｌｏｒである。ＢＳＳ  Ｃｏｌｏｒにおいて、どのＢＳＳにも属さない情報が含まれていた場合、設定部１５１は、信号元がＬＴＥ、ＭｕｌｔｅＦｉｒｅまたはＮＲの基地局であると認識することができる。無線ＬＡＮノードは、信号元が基地局であると認識した場合、その送信元が得たチャネル専有時間および帯域においてキャリアセンスを行わなくてもよいし、信号の復号も行わなくてもよい。無線ＬＡＮノードは、送信元が基地局であると認識した場合、後に無線ＲＡＮ  ＡＰに対して周囲に基地局が存在すると報告してもよい。
【０１６８】
＜３．８．ＲＡＴに基づく設定＞
チャネルアクセス方式及びキャリアセンスの設定は、ＲＡＴに基づいて行われてもよい。
【０１６９】
設定部１５１は、ＲＡＴに基づいて、基地局１００と端末装置２００との通信のために使用するチャネルアクセス方式を設定する。端末装置２００は、接続する基地局のＲＡＴに基づいて使用するチャネルアクセス方式を設定する。例えば、ＮＲのＲＡＴに接続した場合、
【０１７０】
＜３．８．処理の流れ＞
図１５は、本実施形態に係る通信システム１により実行される通信制御処理の流れの一例を示すシーケンス図である。図１５に示すように、本シーケンスには、基地局１００Ａ、基地局１００Ｂ及び端末装置２００が関与する。
【０１７１】
まず、基地局１００Ａ及び基地局１００Ｂは、基地局間同期を確立する（ステップＳ１０２）。次いで、基地局１００Ａ及び基地局１００Ｂは、各々に接続する端末装置２００との間の通信に用いるチャネルアクセス方式として、ＦＢＥを設定する（ステップＳ１０４及び１０６）。次に、基地局１００Ｂは、基地局１００Ｂに接続する端末装置２００に、ＦＢＥを使用すべきこと、及びＦＢＥでのキャリアセンスの設定を含む設定情報を通知する（ステップＳ１０８）。そして、端末装置２００は、基地局１００Ｂとの通信に用いるチャネルアクセス方式として、ＦＢＥを設定する（ステップＳ１１０）。
【０１７２】
＜３．９．その他の応用例＞
Preamble信号は、チャネルを専有する時間（チャネル専有時間）を通知するために用いられてもよい。Preamble信号が通知する時間は、最大専有可能時間であっても、予定する送信時間であってもよい。Preamble信号が通知する時間は、次の共通ＰＤＣＣＨの送信タイミングまでであってもよい。Preamble信号が通知する時間は、次の上りリンクリソース（例えば、ＰＲＡＣＨリソース）までの時間であってもよい。Preamble信号が通知する時間は、後のチャネル専有時間情報によって更新されてもよい。
【０１７３】
Preamble信号は、チャネルを専有する帯域（チャネル専有帯域）を通知するために用いられてもよい。例えば、Preamble信号が送信される帯域は、その帯域において専有されたと端末装置は認識することができる。例えば、Preamble信号が運ぶ情報によって、Preamble信号が送信される帯域以外の帯域においてチャネルが専有されたか否かを通知することができる。
【０１７４】
なお、異なる方法を用いても、チャネルを専有する帯域（チャネル専有帯域）を通知することができる。例えば、共通ＰＤＣＣＨによって指定した帯域のチャネルが専有されたか否かを通知することができる。
【０１７５】
共通ＰＤＣＣＨは、ＳＦＩ（Slot  Format  Indicator）を通知するために用いられる。共通ＰＤＣＣＨは、スロットの先頭数シンボルで送られることが望ましい。共通ＰＤＣＣＨが送られる周期は、ＲＲＣ設定で設定される。
【０１７６】
チャネル専有帯域に応じて、ＰＤＣＣＨのモニタリング、および測定の処理を切り替えてもよい。例えば、チャネルが専有されていない帯域においては、端末装置はＰＤＣＣＨのモニタリングを行わないし、ＰＤＳＣＨのバッファリングを行わないし、チャネルの測定を行わない。一方で、チャネルが専有されている帯域においては、端末装置はＰＤＣＣＨのモニタリング、ＰＤＳＣＨのバッファリング、および／またはチャネルの測定を行うことができる。
【０１７７】
基地局１００は、ＳＩＢ１、初期アクセスに対するメッセージ２およびメッセージ４、およびブロードキャストＳＩメッセージを運ぶＰＤＳＣＨおよび当該ＰＤＳＣＨに対応するＰＤＣＣＨのサブキャリア間隔を指定する情報（subCarrierSpacingCommon）をＰＢＣＨで報知することができる。アンライセンスバンドで送られた場合、当該情報において、６０ｋＨｚを示す情報が送られた場合に、端末装置はＰＤＳＣＨおよびＰＤＣＣＨは６０ｋＨｚで送られると認識し、３０ｋＨｚを示す情報が送られた場合、ＰＤＳＣＨおよびＰＤＣＣＨは６０ｋＨｚで送られると認識する。
【０１７８】
＜＜４．応用例＞＞
本開示に係る技術は、様々な製品へ応用可能である。
【０１７９】
例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１８０】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１８１】
＜４．１．基地局に関する応用例＞
（第１の応用例）
図１６は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１８２】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１６に示したように複数のアンテナ８１０を有し、複数のアンテナ８１０は、例えばｅＮＢ８００が使用する複数の周波数帯域にそれぞれ対応してもよい。なお、図１６にはｅＮＢ８００が複数のアンテナ８１０を有する例を示したが、ｅＮＢ８００は単一のアンテナ８１０を有してもよい。
【０１８３】
基地局装置８２０は、コントローラ８２１、メモリ８２２、ネットワークインタフェース８２３及び無線通信インタフェース８２５を備える。
【０１８４】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８５】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１８６】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１８７】
無線通信インタフェース８２５は、図１６に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１６に示したように複数のＲＦ回路８２７を含み、複数のＲＦ回路８２７は、例えば複数のアンテナ素子にそれぞれ対応してもよい。なお、図１６には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１８８】
図１６に示したｅＮＢ８００において、図１３を参照して説明した制御部１５０に含まれる１つ以上の構成要素（設定部１５１及び／又は通信制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８９】
また、図１６に示したｅＮＢ８００において、図１３を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１９０】
（第２の応用例）
図１７は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１９１】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１７に示したように複数のアンテナ８４０を有し、複数のアンテナ８４０は、例えばｅＮＢ８３０が使用する複数の周波数帯域にそれぞれ対応してもよい。なお、図１７にはｅＮＢ８３０が複数のアンテナ８４０を有する例を示したが、ｅＮＢ８３０は単一のアンテナ８４０を有してもよい。
【０１９２】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１６を参照して説明したコントローラ８２１、メモリ８２２及びネットワークインタフェース８２３と同様のものである。
【０１９３】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１６を参照して説明したＢＢプロセッサ８２６と同様のものである。無線通信インタフェース８５５は、図１７に示したように複数のＢＢプロセッサ８５６を含み、複数のＢＢプロセッサ８５６は、例えばｅＮＢ８３０が使用する複数の周波数帯域にそれぞれ対応してもよい。なお、図１７には無線通信インタフェース８５５が複数のＢＢプロセッサ８５６を含む例を示したが、無線通信インタフェース８５５は単一のＢＢプロセッサ８５６を含んでもよい。
【０１９４】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９５】
また、ＲＲＨ８６０は、接続インタフェース８６１及び無線通信インタフェース８６３を備える。
【０１９６】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１９７】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１７に示したように複数のＲＦ回路８６４を含み、複数のＲＦ回路８６４は、例えば複数のアンテナ素子にそれぞれ対応してもよい。なお、図１７には無線通信インタフェース８６３が複数のＲＦ回路８６４を含む例を示したが、無線通信インタフェース８６３は単一のＲＦ回路８６４を含んでもよい。
【０１９８】
図１７に示したｅＮＢ８３０において、図１３を参照して説明した制御部１５０に含まれる１つ以上の構成要素（設定部１５１及び／又は通信制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１９９】
また、図１７に示したｅＮＢ８３０において、例えば、図１３を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２００】
＜４．２．端末装置に関する応用例＞
（第１の応用例）
図１８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０１】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０３】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１８に示したように複数のＢＢプロセッサ９１３及び複数のＲＦ回路９１４を含んでもよい。なお、図１８には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２０４】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２０５】
アンテナスイッチ９１５の各々は、無線通信インタフェース９１２に含まれる複数の回路（例えば、異なる無線通信方式のための回路）の間でアンテナ９１６の接続先を切り替える。
【０２０６】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１８に示したように複数のアンテナ９１６を有してもよい。なお、図１８にはスマートフォン９００が複数のアンテナ９１６を有する例を示したが、スマートフォン９００は単一のアンテナ９１６を有してもよい。
【０２０７】
さらに、スマートフォン９００は、無線通信方式ごとにアンテナ９１６を備えてもよい。その場合に、アンテナスイッチ９１５は、スマートフォン９００の構成から省略されてもよい。
【０２０８】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１８に示したスマートフォン９００の各ブロックへ電力を供給する。補助コントローラ９１９は、例えば、スリープモードにおいて、スマートフォン９００の必要最低限の機能を動作させる。
【０２０９】
図１８に示したスマートフォン９００において、図１４を参照して説明した制御部２４０に含まれる１つ以上の構成要素（設定部２４１及び／又は通信制御部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２１０】
また、図１８に示したスマートフォン９００において、例えば、図１４を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２１１】
（第２の応用例）
図１９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１２】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１３】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１４】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２１５】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１９に示したように複数のＢＢプロセッサ９３４及び複数のＲＦ回路９３５を含んでもよい。なお、図１９には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２１６】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２１７】
アンテナスイッチ９３６の各々は、無線通信インタフェース９３３に含まれる複数の回路（例えば、異なる無線通信方式のための回路）の間でアンテナ９３７の接続先を切り替える。
【０２１８】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１９に示したように複数のアンテナ９３７を有してもよい。なお、図１９にはカーナビゲーション装置９２０が複数のアンテナ９３７を有する例を示したが、カーナビゲーション装置９２０は単一のアンテナ９３７を有してもよい。
【０２１９】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２０】
バッテリー９３８は、図中に破線で部分的に示した給電ラインを介して、図１９に示したカーナビゲーション装置９２０の各ブロックへ電力を供給する。また、バッテリー９３８は、車両側から給電される電力を蓄積する。
【０２２１】
図１９に示したカーナビゲーション装置９２０において、図１４を参照して説明した制御部２４０に含まれる１つ以上の構成要素（設定部２４１及び／又は通信制御部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２２２】
また、図１９に示したカーナビゲーション装置９２０において、例えば、図１４を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２２３】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２２４】
＜＜５．まとめ＞＞
以上、図１〜図１９を参照して、本開示の一実施形態に係る技術を詳細に説明した。上記説明したように、本実施形態に係る端末装置２００は、チャネルアクセス方式として、任意のタイミングでキャリアセンスを行う第１の方式、及び所定のタイミングでキャリアセンスを行う第２の方式を使用可能である。基地局１００は、端末装置２００に、使用すべきチャネルアクセス方式及びキャリアセンスの設定情報を通知する。そして、端末装置２００は、基地局１００から通知された設定情報に基づいて、使用するチャネルアクセス方式を設定し、キャリアセンスの設定を行う。本実施形態では、チャネルアクセス方式の設定及びキャリアセンスの設定を柔軟に行うことができるので、ノード間での送信機会の不公平の発生を抑止又は軽減して、公平なチャネルアクセスを実現することが可能となる。
【０２２５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２２６】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２２７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２２８】
なお、以下のような構成も本開示の技術的範囲に属する。
（１）
チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、
を備える基地局。
（２）
前記設定情報は、前記第２の方式を使用すべきか否かを示す情報を含む、前記（１）に記載の基地局。
（３）
前記設定情報は、前記基地局と他のノードとの間で同期が確立しているか否かを示す情報を含む、前記（１）又は（２）に記載の基地局。
（４）
前記設定情報は、位置と前記位置に前記端末装置が位置する場合に使用すべきチャネルアクセス方式とを対応付けた情報を含む、前記（１）〜（３）のいずれか一項に記載の基地局。
（５）
前記設定情報は、周波数帯域と前記周波数帯域を前記端末装置が使用する場合に使用すべきチャネルアクセス方式とを対応付けた情報を含む、前記（１）〜（４）のいずれか一項に記載の基地局。
（６）
前記設定情報は、時間と前記時間に前記端末装置が使用すべきチャネルアクセス方式とを対応付けた情報を含む、前記（１）〜（５）のいずれか一項に記載の基地局。
（７）
前記設定情報は、前記第２の方式におけるフレーム構成を示す情報を含む、前記（１）〜（６）のいずれか一項に記載の基地局。
（８）
前記制御部は、前記基地局の位置に基づいて、前記端末装置との通信のために使用するチャネルアクセス方式を設定する、前記（１）〜（７）のいずれか一項に記載の基地局。
（９）
前記制御部は、前記第１の方式を使用する他のノードの検出結果に基づいて、前記端末装置との通信のために使用するチャネルアクセス方式を設定する、前記（１）〜（８）のいずれか一項に記載の基地局。
（１０）
前記第１の方式を使用する前記他のノードは、前記他のノードから送信された信号に基づいて検出される、前記（９）に記載の基地局。
（１１）
前記第１の方式を使用する前記他のノードは、前記他のノードに関するセンサ情報に基づいて検出される、前記（９）又は（１０）に記載の基地局。
（１２）
前記制御部は、前記第２の方式におけるフレーム構成を、前記第１の方式を使用する他のノードの検出結果に応じて設定する、前記（１）〜（１１）のいずれか一項に記載の基地局。
（１３）
前記制御部は、他のノードから送信されたパケットの優先度に基づいて、前記端末装置との通信のために使用するチャネルアクセス方式を設定する、前記（１）〜（１２）のいずれか一項に記載の基地局。
（１４）
前記制御部は、前記端末装置との通信のために使用するチャネルアクセス方式を所定周期で切り替える、前記（１）〜（１３）のいずれか一項に記載の基地局。
（１５）
前記第１の方式は、ＬＢＥ（Load-based  equipment）であり、
前記第２の方式は、ＦＢＥ（Frame-based  equipment）である、前記（１）〜（１４）のいずれか一項に記載の基地局。
（１６）
チャネルアクセス方式として、任意のタイミングでキャリアセンスを行う第１の方式、及び所定のタイミングでキャリアセンスを行う第２の方式を使用可能な端末装置であって、
基地局から通知された、使用すべきチャネルアクセス方式及びキャリアセンスの設定情報に基づいて、使用するチャネルアクセス方式を設定し、キャリアセンスの設定を行う制御部、
を備える端末装置。
（１７）
チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知すること、
を含む、プロセッサにより実行される方法。
（１８）
チャネルアクセス方式として、任意のタイミングでキャリアセンスを行う第１の方式、及び所定のタイミングでキャリアセンスを行う第２の方式を使用可能な端末装置により実行される方法であって、
基地局から通知された、使用すべきチャネルアクセス方式及びキャリアセンスの設定情報に基づいて、使用するチャネルアクセス方式を設定し、キャリアセンスの設定を行うこと、
を含む方法。
（１９）
コンピュータを、
チャネルアクセス方式として、任意のタイミングでキャリアセンスを行う第１の方式、及び所定のタイミングでキャリアセンスを行う第２の方式を使用可能な端末装置に、使用すべきチャネルアクセス方式及びキャリアセンスの設定情報を通知する制御部、
として機能させるためのプログラムが記録された記録媒体。
（２０）
チャネルアクセス方式として、任意のタイミングでキャリアセンスを行う第１の方式、及び所定のタイミングでキャリアセンスを行う第２の方式を使用可能な端末装置を制御するコンピュータを、
基地局から通知された、使用すべきチャネルアクセス方式及びキャリアセンスの設定情報に基づいて、使用するチャネルアクセス方式を設定し、キャリアセンスの設定を行う制御部、
として機能させるためのプログラムが記録された記録媒体。
【符号の説明】
【０２２９】
１      通信システム
１１    セル
１２    コアネットワーク
１３    ＰＤＮ
１００  基地局
１１０    アンテナ部
１２０    無線通信部
１３０    ネットワーク通信部
１４０    記憶部
１５０    制御部
１５１    設定部
１５３    通信制御部
２００  端末装置
２１０    アンテナ部
２２０    無線通信部
２３０    記憶部
２４０    制御部
２４１    設定部
２４３    通信制御部
【図１】
2020072428.tif 000005
【図２】
2020072428.tif 000006
【図３】
2020072428.tif 000007
【図４】
2020072428.tif 000008
【図５】
2020072428.tif 000009
【図６】
2020072428.tif 000010
【図７】
2020072428.tif 000011
【図８】
2020072428.tif 000012
【図９】
2020072428.tif 000013
【図１０】
2020072428.tif 000014
【図１１】
2020072428.tif 000015
【図１２】
2020072428.tif 000016
【図１３】
2020072428.tif 000017
【図１４】
2020072428.tif 000018
【図１５】
2020072428.tif 000019
【図１６】
2020072428.tif 000020
【図１７】
2020072428.tif 000021
【図１８】
2020072428.tif 000022
【図１９】
2020072428.tif 000023